(57)【要約】【課題】清掃部材の螺合する軸の固定位置を充分に一定にしてモータの駆動時間の決定容易なワイヤ清掃装置等を提供する。【解決手段】ケース内に張設された長尺のワイヤ５２２と略平行に軸５３１が延設され、軸５３１を回転駆動させる駆動源５３３が軸の一端側に配され、軸の両端近傍にストッパ５３６が取り付けられ、軸のストッパ間をワイヤに接触しながら、軸の回転に応じて往復移動する清掃部材５３２が軸に取り付けられたワイヤ清掃装置５３であって、軸と駆動源との間に駆動伝達部５３４が設けられ、駆動伝達部は駆動源側に連結された入力側係合部５３４２と、軸側に連結された出力側係合部５３４１とを接離可能に備えるクラッチからなり、クラッチは、第１の係合部と、第２の係合部とが相対的に接離可能に構成され、第１の係合部及び第２の係合部の少なくとも一方が互いに当接する方向に付勢部材によって付勢されてなる。【選択図】          図３
2004302220.tif 000002
【特許請求の範囲】
【請求項１】
ケース内に張設された長尺のワイヤと略平行に軸が延設され、前記軸を回転駆動させる駆動源が前記軸の一端側に配され、前記軸の両端近傍にストッパが取り付けられると共に、この軸の前記ストッパ間を前記ワイヤに接触しながら、前記軸の回転に応じて往復移動する清掃部材が前記軸に取り付けられたワイヤ清掃装置であって、
前記軸と前記駆動源との間に駆動伝達部が設けられ、この駆動伝達部は、前記駆動源側に連結された第１の係合部と、前記軸側に連結された第２の係合部とを接離可能に備えるクラッチからなり、前記クラッチは、前記第１の係合部と、前記第２の係合部とが相対的に接離可能に構成され、かつ第１の係合部及び第２の係合部の少なくとも一方が、互いに当接する方向に付勢部材によって付勢されてなることを特徴とするワイヤ清掃装置。
【請求項２】
前記付勢部材は、前記第１の係合部材を前記第２の係合部材の方向に付勢するものであることを特徴とする請求項１に記載のワイヤ清掃装置。
【請求項３】
前記第１、第２の係合部は、係合部位が噛み合い形状をなすものであることを特徴とする請求項１又は２に記載のワイヤ清掃装置。
【請求項４】
前記第１、第２の係合部は、係合部位が摩擦材からなるものであることを特徴とする請求項１又は２に記載のワイヤ清掃装置。
【請求項５】
請求項１〜４の何れかに記載のワイヤ清掃装置を内蔵するコロナ帯電装置。
【請求項６】
請求項５に記載のコロナ帯電装置が搭載された画像形成装置。
【発明の詳細な説明】
【０００１】
【発明の属する技術分野】
本発明は、ワイヤ清掃装置及びそれを用いたコロナ帯電装置及び画像形成装置に関するものである。
【０００２】
【従来の技術】
従来、コロナ帯電装置のコロナ放電用のワイヤに付着した塵埃等を除去して、塵埃等の付着によりワイヤの帯電機能の低下を防止するためのワイヤ清掃装置が知られていた（例えば、特許文献１参照）。以下図８及び図９を用いて従来のワイヤ清掃装置を説明する。図８は従来のワイヤ清掃装置の斜視図である。従来のワイヤ清掃装置１００は、コロナ放電用のワイヤが張設されたコロナ帯電装置のケース２００の上面に配され、この上面における左右両側部には、ワイヤと平行な方向に延びるようにガイド孔２００ａが形成されている。
【０００３】
ワイヤ清掃装置１００は、ガイド孔２００ａの間にワイヤと平行に延設されたネジ軸１０１を備え、このネジ軸１０１に清掃部材１０２が螺合して配されている。清掃部材１０２は、ガイド孔２００ａに遊嵌する門形に形成されて、下部のワイヤの近傍位置にクリーナパット（図略）が設けられてワイヤを両側から挟むようになっている。ネジ軸１０１の一端に中間軸１０３が連結され、中間軸１０３の他端にギヤ軸１０４が連結され、ギヤ軸１０４の他端にウオームギア１０５を介してモータ１０６が連結されている。ネジ軸１０１と中間軸１０３との間と、中間軸１０３とギヤ軸１０４との間には、トルクリミッタ構造が設けられている。
【０００４】
図９は、図８に示すワイヤ清掃装置のトルクリミッタ構造の側面図である。矢印ａはモータ１０６が正転方向に回転するときのギヤ軸１０４の回転方向を示し、矢印ｂは、モータ１０６が逆転方向に回転するときのギヤ軸１０４の回転方向を示す。ネジ軸１０１と中間軸１０３との間には、矢印ａの方向にスプリング１０７が巻かれて、両軸が連結されている。また、中間軸１０３とギヤ軸１０４との間には、矢印ｂの方向にスプリング１０８が巻かれて、両軸が連結されている。
【０００５】
上記構成によって、モータ１０６が、正転方向に駆動し、ギヤ軸１０４を回転させることによって、その駆動力がネジ軸１０１に伝えられ、ネジ軸１０１の回転にともなってガイド孔２００ａのモータ側端にある清掃部材１０２がガイド孔２００ａに沿って移動する。清掃部材１０２がガイド孔２００ａの他端に当接したとき、ガイド孔２００ａ縁がストッパの役割をして清掃部材１０２の移動が規制される。この規制時点からモータ１０６の駆動が停止されるまでに時間遅れがあると、この間、ネジ軸１０１が回転しないため、モータ１０６が回転を維持すると、スプリング１０８が弛み、ギヤ１０４が空回りすることとなるため、モータ１０６にかかる負荷が軽減される。
【０００６】
次いで、モータ１０６が逆転方向に駆動されると、清掃部材１０２はモータ側端に戻るように移動される。そして、清掃部材１０２がガイド孔２００ａのモータ側端に当接すると、ガイド孔２００ａの縁がストッパの役割をして清掃部材１０２の移動が規制される。この規制時点からモータ１０６の駆動が停止されるまでに時間遅れがあると、この間、ネジ軸１０１が回転しないため、モータ１０６が回転を継続すると、スプリング１０７が弛み、中間軸１０３とギヤ軸１０４とが空回りすることとなるため、モータ１０６にかかる負荷が軽減される。
【０００７】
このように、清掃部材１０２の移動がストッパによって規制された後でモータ１０６の駆動が停止されるまでの間、モータ１０６側とネジ軸１０１側との接続を切断して、モータ１０６を空回りさせて、モータ１０６への過負荷の発生を防止している。
【０００８】
【特許文献１】
特開平５−２８１８３９号公報
【０００９】
【発明が解決しようとする課題】
従来のワイヤ清掃装置では、モータ側と清掃部材の螺合するネジ軸とをスプリングを用いて連結し、スプリングを弛めたり締め付けたりすることで、モータ及びネジ軸間を連結させたり切断させるトルクリミッタとして機能させている。しかしながら、連結部分がスプリングのみによって連結されており、かつスプリングが弛まったり締まったりするため、スプリングが経時的に弛んでしまい易く、通常駆動時にもから回りを生じて、モータの駆動力がネジ軸へ正常に伝わりにくくなって、ワイヤの先端部の清掃状態が一定しない場合があった。
【００１０】
また、トルクリミッタ構造が複雑なため、この部分が長尺化し、コロナ帯電装置の長手寸法がその分長くなってしまうという問題がある。
【００１１】
本発明は、上記課題を解決するために、安定性、装置簡易かつ短寸法を可能にしたワイヤ清掃装置、それを用いたコロナ帯電装置及び画像形成装置を提供することを目的とするものである。
【００１２】
【課題を解決するための手段】
請求項１に記載の発明は、ケース内に張設された長尺のワイヤと略平行に軸が延設され、前記軸を回転駆動させる駆動源が前記軸の一端側に配され、前記軸の両端近傍にストッパが取り付けられると共に、この軸の前記ストッパ間を前記ワイヤに接触しながら、前記軸の回転に応じて往復移動する清掃部材が前記軸に取り付けられたワイヤ清掃装置であって、前記軸と前記駆動源との間に駆動伝達部が設けられ、この駆動伝達部は、前記駆動源側に連結された第１の係合部と、前記軸側に連結された第２の係合部とを接離可能に備えるクラッチからなり、前記クラッチは、前記第１の係合部と、前記第２の係合部とが相対的に接離可能に構成され、かつ第１の係合部及び第２の係合部の少なくとも一方が、互いに当接する方向に付勢部材によって付勢されてなることを特徴とする。
【００１３】
この構成によれば、駆動源が駆動すると付勢部材に付勢された第１の係合部が第２の係合部に係合して、軸を回転駆動して清掃部材を軸方向に移動させる。清掃部材はストッパに当接するまで移動し、これによって軸の回転が規制され、このとき、駆動源が駆動していても、第１の係合部は、第２の係合部との係合が外れることによって、空回りすることになる。
【００１４】
請求項２に記載の発明は、請求項１に記載のワイヤ清掃装置であって、前記付勢部材は、前記第１の係合部材を前記第２の係合部材の方向に付勢するものであることを特徴とする。
【００１５】
この構成によれば、第１の係合部材が、付勢部材に付勢されて、第２の係合部材に向かって動くことで、第２の係合部材と接離自在になっている。従って、第１の係合部材を動かさずに、第１、第２の係合部材同士を接離させることが可能となる。
【００１６】
請求項３に記載の発明は、請求項１又は２に記載のワイヤ清掃装置であって、前記第１、第２の係合部は、係合部位が噛み合い形状をなすものであることを特徴とする。この構成によれば、係合部位が噛み合い形状であるため、第１の係合部と第２の係合部とが係合する、かつ係合が外れることが容易である。
【００１７】
請求項４に記載の発明は、請求項１又は２に記載のワイヤ清掃装置であって、前記第１、第２の係合部は、係合部位が摩擦材からなるものであることを特徴とする。この構成によって、第１及び第２の係合部の係合が、清掃部材の移動が規制されるとき以外では容易に外れないこととなる。
【００１８】
請求項５は、請求項１〜４の何れかに記載のワイヤ清掃装置を内蔵するコロナ帯電装置である。第１の係合部に付勢力を与えることで第１及び第２の係合部を係合させることが可能であるので、清掃部材が取り付けられた軸が固定され、コロナ帯電装置の放電ワイヤの端部を一定して清掃することが可能であり、放電ワイヤの端部での帯電特性が落ちることが防止される。
【００１９】
請求項６は、請求項５に記載のコロナ帯電装置が搭載された画像形成装置である。コロナ帯電装置の放電ワイヤの端部を一定して清掃することが可能であり、放電ワイヤの端部での帯電特性が落ちることが防止されるため、放電ワイヤ端部で帯電された感光体ドラムの帯電がむらなく安定して行われる。
【００２０】
【発明の実施の形態】
図１〜図４を用いて、本発明にかかる画像形成装置をプリンタに適用した場合の一実施の形態について説明する。図１は、プリンタ１の側面概略構成図である。図１において、プリンタ１は、本体底部側に記録紙が積層された記録紙収納部２、本体上部側に位置して記録紙収納部２から繰り出され、画像形成後の記録紙が排出される排出部３に亘って記録紙を搬送する搬送路４１と、後述する像形成部５〜８位置で記録紙の搬送を行うための無端の搬送ベルト４２とを備えた搬送部４、搬送ベルト４２の上部で搬送方向に亘って直列に設けられ、記録紙に各色の画像の形成を行わせる像形成部５〜８、及び搬送ベルト４２の用紙搬送方向下流側に設けられた定着部１０を備える。
【００２１】
搬送部４は上流側から搬送路４１に沿って所要位置に配設された所要数の搬送ローラ対４３を有し、これら搬送ローラ対４３は図略のモータ等によって回転駆動されるようになっている。
【００２２】
像形成部５〜８は、搬送ベルト４２の用紙搬送面に沿って配設され、上流側からシアン（Ｃ）、マゼンタ（Ｍ）、イエロー（Ｙ）及びブラック（Ｂ）の画像を重層させて画像を形成するものであり、詳細は後述する。搬送ベルト４２は上流側と下流側のローラ４４，４５間に張設されると共にその間の下方側適所にテンション用のローラ４６が配設されている。なお、ローラ４４は、圧ローラ４４ａと共にローラ対を構成し、搬送されてきた用紙を搬送ベルト４２上に誘導可能にしている。
【００２３】
定着部１０は、内部にヒータ源を備える熱ローラ１０ａと圧ローラ１０ｂとで構成され、像形成部５〜８で記録紙上に転写された所与の色のトナーを融着するものである。像形成部５〜８はトナーの色が異なる他は同一構造を有するものであり、以下、像形成部５を例にして説明する。
【００２４】
図２は、像形成部の構造を説明するための側面図である。図２において、像形成部５は中央に担持体としての感光体ドラム５１を備えると共に、その周囲にドラム回転方向の上流側から、上部にワイヤ清掃装置５３が形成されたコロナ帯電装置５２、露光装置５４、現像装置５５、転写ローラ５６、クリーニング装置５７及び除電装置５８が配設されている。
【００２５】
感光体ドラム５１は、表面に感光層が形成された円柱形状を有するもので、図略の駆動機構によって定速回転されるものである。コロナ帯電装置５２は、直方体形状を有し、コロナ放電現象を利用して感光体表面に所定電位を付与するものである。ワイヤ清掃装置５３は、コロナ帯電装置５２に対する清掃を行うためのものである。露光装置５４は、例えば小型のＬＥＤ素子がアレイ状に配列されて成るＬＥＤ発光部を備え、外部メモリ等から転送されてきた画像データを変調して光として各ＬＥＤ素子から出射し、この光によって感光体ドラム５１の長さ方向に走査することで感光体ドラム５１面に静電潜像を形成するものである。
【００２６】
現像装置５５は、シアンからなるトナーを感光体ドラム５１面に電界を利用して付与することで、静電潜像を顕在化するものである。転写ローラ５６はトナー画像を記録紙に転写するためのものであり、クリーニング装置５７は残留トナーを除去するものである。除電装置５８は、小型のＬＥＤ素子が感光体ドラム５１の長さ方向にアレイ上に配設されてなり、ＬＥＤ素子の発光により残留電荷を除去するものである。
【００２７】
図３、図４は、図２に示すコロナ帯電装置上に配置された清掃装置の構造を説明するための斜視図で、図３は放電ワイヤの途中を清掃している状態を示し、図４は放電ワイヤの端を清掃している状態を示す。図５は、図３の部分拡大図であり、図６は図４の部分拡大図である。
【００２８】
コロナ帯電装置５２は、感光体ドラム５１側に開口面を有する断面略コ字状を有する金属材からなる長尺のシールドケース５２１と、その内部で長尺方向に張設された放電ワイヤ５２２と、シールドケース５２１の一端側に設けられた把持部５２３と、他端側に設けられた後述する駆動源を内蔵するケース５２４とを備える。シールドケース５２１の天井面の左右側には長手方向に亘って一対の切欠５２１ａが穿設されている。
【００２９】
ワイヤ清掃装置５３は、放電ワイヤ５２２の両端より多少外側に設けられた軸受５３０ａと支持部材５３０ｂとによって回動自在に軸支されたネジ軸５３１と、ネジ軸５３１に螺合された清掃部材５３２と、ネジ軸５３１を回動させる駆動源としてのモータ５３３と、ネジ軸５３１とモータ５３３との間に介在された駆動伝達部５３４とを備える。本実施形態では、軸受５３０ａ、支持部材５３０ｂは清掃部材５３２の移動に対する規制用のストッパ機能を兼ねるものである。支持部材５３０ｂは、上に開口した略コ字状を有し、ネジ軸５３１の左右方向のずれを防止する。
【００３０】
図５、図６に詳細に示すように、駆動伝達部５３４は、ネジ軸５３１の基端（図３の左側）に固設された出力側係合部５３４１と、モータ５３３の出力軸５３３１に取り付けられた入力側係合部５３４２とから成っている。出力側係合部５３４１と入力側係合部５３４２とは、円筒形状を有しており、隣接して対向配置されている。
【００３１】
図７は、入力側係合部とその周辺部材との構造を示す図であり、（ａ）は、入力側係合部の斜視図、（ｂ）は、入力側係合部とその周辺部材との構造を示す分解図、（ｃ）は、入力側係合部とその周辺部材との断面図である。
【００３２】
（ａ）で示されるように、入力側係合部５３４２は、出力側係合部５３４１と対向する円筒端面（係合部位）に歯が複数個（ここでは、６個）形成され、後述するように出力側係合部５３４１の歯と係合するようにされている。この歯は、例えば摩擦部材でコーティングされている。入力側係合部５３４２の内孔部分は、係合部位側が大形に形成され、小径側が断面Ｄ面状にされている。
【００３３】
（ｂ）、（ｃ）で示されるように、入力側係合部５３４２は、スプリング５３３４を貫通した出力軸５３３１の先端を、その小径孔に嵌め入れた構成で、出力軸５３３１の先端側は、小筒孔と同一の断面Ｄ面状であり、出力軸５３３１と供回り可能とされている。また、出力軸５３３１の断面Ｄ面状部分は、入力側係合部５３４２の小径孔の長さ寸法よりも所定寸法だけ長い寸法に設定されており、その寸法差分だけ出力軸５３３１を軸方向に移動可能にしている。その先端に、リング状の止めリング５３３２が圧入等により取り付けられている。
【００３４】
出力側係合部５３４１は、入力側係合部５３４２と同様の形状を有しており、入力側係合部５３４１の歯と噛合する。また、出力側係合部５３４１は、係合部位と反対側の端部にネジ軸５３１が固着されて、ネジ軸５３１と連結されている。
【００３５】
上記の構成によって、ワイヤ清掃装置５３は、以下の様に作用して放電ワイヤ５２２を清掃する。まず、入力側係合部５３４２は、スプリング５３３４によって出力側係合部５３４１の方向に付勢されており、出力側係合部５３４１と互いに噛み合っている。この状態で、モータ５３３が、清掃動作を行うべく駆動されて、出力軸５３３１を回動させると、入力側係合部５３４２が回転を開始する。このときは、出力側係合部５３４１と入力側係合部５３４２とが係合しているため、モータ５３３のトルクが、駆動伝達部５３４を介して、ネジ軸５３１に伝達される。
【００３６】
従って、清掃部材５３２が、ネジ軸５３１のモータ５３３側の一端から他端に向かって移動する。清掃部材５３２は、下端のクリーナパットで放電ワイヤ５２２を挟み込んでいるので、その移動によって、放電ワイヤ５２２は、一端から他端に向けて清掃される。
【００３７】
この後、清掃部材５３２が軸受５３０ａに当接すると、その移動が規制され、ネジ軸５３１及び出力側係合部５３４１の回動も規制される。ここで、清掃部材５３２が軸受５３０ａに当接した後のわずかな時間中、モータ５３３が駆動している場合、ネジ軸５３１は回転しない一方、出力軸５３３１と供回りする入力側係合部５３４２は回動を継続するため、スプリング５３３４の付勢力に抗して、入力側係合部５３４２と出力側係合部５３４１との係合が外れ、入力側係合部５３４２が空回りすることになる。これによって、モータ５３３に過度なトルク負荷がかからないことになり、モータ５３３とギヤ軸５３５との連結部位等の破損を防ぐことができる。
【００３８】
次に、モータ５３３が逆方向に回転を開始すると、清掃部材５３２がネジ軸５３１の基端に向かって移動する。そして、清掃部材５３２は、支持部材５３０ｂに当接して移動が規制され、これによってネジ軸５３１及び出力側係合部５３４１の回動も規制される。このとき、未だモータ５３３の駆動が停止されてないと、出力軸５３３１が回動すると供に、入力側係合部５３４２が回動するため、入力側係合部５３４２と出力側係合部５３４１との係合が外れて、入力側係合部５３４２が空回りすることになる。これによって、モータ５３３に過度なトルク負荷がかからないことになり、モータ５３３とギヤ軸５３５との連結部位等の破損を防ぐことができる。
【００３９】
また、上述のように、入力側係合部５３４２が軸方向に移動されて、出力側係合部５３４２が軸方向に移動しなくても、出力側係合部５３４１と入力側係合部５３４２とが接離可能な構成であるため、出力側係合部５３４１と入力側係合部５３４２とが、互いに係合する位置は安定的であり、ワイヤ５２２の先端部の清掃状態を一定にすることができる。また、出力側係合部５３４２が移動しない構成であるため、ネジ軸５３１の移動がより効果的に防止される。
【００４０】
また、入力側係合部５３４２と出力側係合部５３４１とが係合し、或いは係合が外れることによって、駆動伝達部５３４がクラッチとして機能するため、モータ５３３とネジ軸５３１との間の接続の接離が容易であり、特に、スプリング５３３４によって入力側係合部５３４２に付勢力を与えているため、入力側係合部５３４２と出力側係合部５３４１とは係合容易な構成となっている。
【００４１】
また、係合部位が摩擦部材でコーティングされているため、清掃部材５３２の移動が規制されてもモータ５３３がトルクを与えるとき以外で、歯同士の噛み合いが容易に外れることがない。
【００４２】
なお、必ずしも入力側係合部５３４が付勢されている必要はなく、出力側係合部５３４１と入力側係合部５３４２とのうち、いずれか一方が、スプリング５３３４で付勢されていればよい。
【００４３】
なお、出力側係合部５３４１と入力側係合部５３４２とは、歯が形成されている構成である必要はなく、いずれか一方に凸部、他方に凹部が形成され、これらが嵌り合って、供回りし、接離可能な構成であればよい。また、清掃部材５３２は、一端では軸受５３０ａに当接して移動が規制され、他端では５３０ｂに当接して移動が規制されるが、清掃部材５３２の移動が規制される構成ならどの様なものでもよく、切欠５３１ａ両端がストッパでもよい。
【００４４】
なお、ワイヤ清掃装置５３は必ずしもコロナ帯電装置５２のシールドケース５２１上に搭載されなくてもよく、シールドケース５２１の外部に取り付けられなくてもよい。また、ワイヤ清掃装置５３は、コロナ帯電装置５２に搭載されている必要はなく、放電ワイヤ５２２と略平行にネジ軸５３１が延設されていて、清掃部材５３２のクリーナパットが放電ワイヤ５２２に届く構成であれば別体でもよい。
【００４５】
【発明の効果】
請求項１に記載の発明によれば、軸の回転が規制されるまでの間は、付勢部材に付勢されることによって、第１及び第２の係合部材が噛み合って、駆動源の駆動力が回転軸に伝えられ、軸の回転が規制された後に駆動源が駆動していれば、第１の係合部は、第２の係合部との係合が外れることによって、空回りすることになる。これによって、トルクリミッタ機能を有し、かつ清掃時における軸の位置が安定的なワイヤ清掃装置を提供することができ、清掃対象であるワイヤの先端部の清掃状態を一定させることができる。また、構造的に比較的複雑ではない短尺なトルクリミッタ構造を有するワイヤ清掃装置を提供することができる。
【００４６】
請求項２に記載の発明によれば、第１の係合部が付勢部材によって動いて、第１及び第２の係合部が係合するように構成されているため、清掃部材が取り付けられている軸を移動させずに第１及び第２の係合部を係合させることが可能であり、清掃時における軸の位置が安定的なワイヤ清掃装置を提供することができ、清掃対象であるワイヤの先端部の清掃状態を一定させることができる。
【００４７】
請求項３に記載の発明によれば、第１及び第２の係合部が噛み合うことによって係合するため、第１及び第２の係合部の接離が容易となり、軸の回転が規制された後、駆動源へのトルク負荷がかかるのを迅速に防ぐことができる。
【００４８】
請求項４に記載の発明によれば、第１及び第２の係合部の係合が、清掃部材の移動が規制されるとき以外では容易に外れないこととなるため、清掃部材の移動が規制されるとき以外ではモータは軸を回転させ、放電ワイヤの清掃を行うことができる。
【００４９】
請求項５に記載の発明によれば、コロナ帯電装置の放電ワイヤの端部を一定して清掃することが可能であり、放電ワイヤの端部での帯電特性が落ちて感光体ドラムの帯電ムラを防止することができる。
【００５０】
請求項６によれば、放電ワイヤ端部で帯電された感光体ドラムの帯電がむらなく安定して行われるため、画像の形成を安定して行うことが可能となる。
【図面の簡単な説明】
【図１】プリンタ１の側面概略構成図である。
【図２】像形成部の構造を説明するための側面図である。
【図３】図２に示す帯電装置上に配置された清掃装置の構造を説明するための斜視図ある。
【図４】図２に示す帯電装置上に配置された清掃装置の構造を説明するための斜視図ある。
【図５】図３の部分拡大図である。
【図６】図４の部分拡大図である。
【図７】入力側係合部とその周辺部材との構造を示す図である。
【図８】従来のコロナ帯電装置用ワイヤ清掃装置の斜視図である。
【図９】図８に示すワイヤ清掃装置のトルクリミッタ機構の側面図である。
【符号の説明】
５２            コロナ帯電装置
５２２                    放電ワイヤ（ワイヤ）
５３            ワイヤ清掃装置
５３０ａ      軸受（ストッパ）
５３０ｂ      支持部材（ストッパ）
５３１                    ネジ軸（軸）
５３２                    清掃部材
５３３                    モータ（駆動源）
５３３４        スプリング
５３４                    駆動伝達部
５３４１        出力側係合部（第２の係合部）
５３４２        入力側係合部（第１の係合部）
【図１】
2004302220.tif 000003
【図２】
2004302220.tif 000004
【図３】
2004302220.tif 000005
【図４】
2004302220.tif 000006
【図５】
2004302220.tif 000007
【図６】
2004302220.tif 000008
【図７】
2004302220.tif 000009
【図８】
2004302220.tif 000010
【図９】
2004302220.tif 000011